(57)【特許請求の範囲】
【請求項１】
既設の本橋桁下を地組立領域として仮橋横梁および仮橋主桁分割体を移動台車上の昇降機上で組立てる工程と、
前記移動台車で前記仮橋横梁および前記仮橋主桁分割体を本橋側部に移動させると共に前記昇降機で、前記本橋の横梁と水平になるまで前記仮橋横梁の高さを上げ、当該仮橋横梁を前記本橋の横梁と連結して延設し、さらに当該仮橋横梁に前記仮橋主桁分割体を架設して仮橋主桁を組立てる工程と、
前記本橋から前記仮橋を経由する迂回路を、前記仮橋主桁上に載設する床版Ａに設ける工程と、
前記本橋の床版Ｂおよび前記本橋の主桁を解体する工程と、
前記仮橋主桁および前記床版Ａを、前記本橋の主桁および床版Ｂのあった位置に、前記本橋および前記仮橋横梁の上面に設けられる横取り手段で横取りする工程と、
を含むことを特徴とする橋梁の架け替え工法。
【請求項２】
前記床版Ａは、橋軸に直角となる方向に、桁間部と、張り出し部と、が分割され、両部が１８０度転回可能に連結される構造であって、前記迂回路として用いるときに、当該張り出し部を展開し、鉛直上方に角度固定することを特徴とする請求項１に記載の橋梁の架け替え工法。
【請求項３】
前記仮橋主桁と前記床版Ａとは、一体となって形成されていることを特徴とする請求項１または２に記載の橋梁の架け替え工法。
【請求項４】
前記本橋の位置に横取りした後、前記横梁上の桁部を連結することにより、既設の橋脚を間引くか、又は交換することを特徴とする請求項１〜３のいずれか一つに記載の橋梁の架け替え工法。
【発明の詳細な説明】
【技術分野】
【０００１】
本発明は、橋梁の架け替え工法に関するものであり、さらに詳しくは、施工中の通行止め期間が極めて短く、側道への占有面積も狭小で済む橋梁の架け替え工法に関する。
【背景技術】
【０００２】
橋梁は、設計上、そして事実上耐用年数があり、ある一定期間を経た後には架け替える必要がある。たとえば、わが国の首都高速道路は、昭和３０年代の設計、施工の下、４０年以上に渡って、しかも想定を越える車両数による使用を経て老朽化が進んでおり、架け替えの必要が迫られている。鉄道高架橋についても長年の使用により老朽化して架け替えが要望されているものがある。橋梁の架け替え工法としては、切り回し用高架橋を既設高架橋に沿って構築し、既設高架橋解体後、スライドさせ本橋に使用する工法がある（たとえば、特許文献１）。また、高架下で地組立した後、既設桁と掛け替える工法もある（たとえば、特許文献２）。
【０００３】
【特許文献１】特開２００６−１６７８８号公報
【特許文献２】特開２００４−３３２２２２号公報
【発明の開示】
【発明が解決しようとする課題】
【０００４】
しかしながら、高架橋は広範囲な交通ネットワークの一部として構築されていることが多く、架け替えにより一箇所を長時間通行止めにすると、広範囲の交通規制が必要となり、必然的に大きな交通渋滞が発生する。また、架け替えのため、側道に大きくはみ出た仮橋や大径の柱があると、側道に大規模で長時間に渡る交通規制が必要となり、交通渋滞の原因となる。
【０００５】
そこで、この発明は、上記に鑑みてなされたものであって、通行止めが必要となる期間を極小にし、側道への占有面積も狭小で済ませることが可能な橋梁の架け替え工法を提供することを目的とする。
【課題を解決するための手段】
【０００６】
上述の目的を達成するために、この発明による橋梁の架け替え工法は、既設の本橋桁下を地組立領域として仮橋横梁および仮橋主桁分割体を移動台車上の昇降機上で組立てる工程と、前記移動台車で前記仮橋横梁および前記仮橋主桁分割体を本橋側部に移動させると共に前記昇降機で、前記本橋の横梁と水平になるまで前記仮橋横梁の高さを上げ、当該仮橋横梁を前記本橋の横梁と連結して延設し、さらに当該仮橋横梁に前記仮橋主桁分割体を架設して仮橋主桁を組立てる工程と、前記本橋から前記仮橋を経由する迂回路を、前記仮橋主桁上に載設する床版Ａに設ける工程と、前記本橋の床版Ｂおよび前記本橋の主桁を解体する工程と、前記仮橋主桁および前記床版Ａを、前記本橋の主桁および床版Ｂのあった位置に、前記本橋および前記仮橋横梁の上面に設けられる横取り手段で横取りする工程と、を含むようにしたものである。
【０００７】
この発明では、地組立領域として側道を利用せず、既設の本橋桁下を利用するので、仮橋地組立のために側道を交通規制する必要がない。地組立するのは、仮橋横梁と仮橋主桁分割体であり、これらは移動台車上の昇降機上で背低状態にして組立てる。トラックによる分割体の搬入、組立には当該桁下に設置される門型の昇降機（リフター）を利用すればよい。
【０００８】
組上がった仮橋横梁および仮橋主桁分割体は、移動台車上に載っているので、これを移動させ、前記仮橋主桁分割体を本橋側部に接する位置にもっていく。そして、移動台車上の昇降機で、本橋の横梁と水平になるまで仮橋主桁分割体の高さを上げ、当該仮橋主桁分割体を本橋の横梁と連結し、延設する。これで本橋と仮橋の横梁同士がフラットとなる。
【０００９】
そして、仮橋主桁分割体を仮橋横梁に架設していき、ひとまとまりの仮橋主桁が組立てられる。仮橋横梁は、本橋の横梁と連結することにより、十分な強度を有するので、支持する構造としては、片持ちでもよいし、ベント等の比較的簡素な構造で済む。このため、従来側道に設置していた大径の橋脚が不要となり、側道の交通規制も最小限で済むようになる。
【００１０】
前記仮橋主桁分割体上に床版Ａを載設し（主桁と床版が一体となっている場合もある）、これを架け替え対象の本橋の迂回路にする。当該床版Ａが迂回路として機能したら、その部分の本橋は不要となるので、本橋の床版Ｂおよび主桁を解体する。そして、フラットとなっている本橋と仮橋の横梁上で、本橋の主桁および床版Ｂのあった場所に、仮橋上の床版Ａおよび仮橋主桁を横取りする。
【００１１】
上記横取りには、横梁上に敷設される軌条設備とホイールの組み合わせ、またはころ等の転動体を用いることができる。これにより、仮橋は、新たな本橋となる。この方法によれば、本橋の通行止め期間を最小に抑え、側道の交通規制も最小に抑えながら、橋梁の架け替えを行うことができる。
【００１２】
つぎの発明による橋梁の架け替え工法は、前記橋梁の架け替え工法において、前記床版Ａは、橋軸に直角となる方向に、桁間部と、張り出し部と、が分割され、両部が１８０度転回可能に連結される構造であって、前記迂回路として用いるときに、当該張り出し部を展開し、鉛直上方に角度固定するようにしたものである。
【００１３】
この発明では、仮橋の床版Ａの張り出し部が鉛直上方に角度固定されるので、将来本橋として展開するときよりも幅を狭くすることができる。床版Ａの幅が小さければ、本橋の横梁に連結されたときに、仮橋主桁をより本橋に近づけて設置することができる。このため、本橋横梁端面を固定端とする片持ちで仮橋横梁を支持ですることもでき、仮橋の橋脚を設けるにしてもベント等の簡素な構造で済む。これにより、側道の占有面積を節約でき、交通規制も最低限に抑えることができるようになる。
【００１４】
つぎの発明による橋梁の架け替え工法は、前記橋梁の架け替え工法において、前記仮橋主桁と前記床版Ａとは、一体となって形成されているようにしたものである。
【００１５】
前記仮橋主桁と前記床版Ａとが一体に形成されていると、取り扱いが容易となり、従来に比べて組み立て工期、仮橋横梁間に対する架設工期、横取り工期が短縮される。工期が短縮されれば、交通規制も最低限に抑えることができるようになる。
【００１６】
つぎの発明による橋梁の架け替え工法は、前記橋梁の架け替え工法において、前記本橋の位置に横取りした後、前記横梁上の桁部を連結することにより、既設の橋脚を間引くか、又は交換するようにしたものである。
【００１７】
横梁上の桁部を橋軸方向に連結すると、新設の本橋に対して既設の橋脚は、耐荷重に余裕ができる。そのため、橋脚を間引くこともできる。また、橋脚を交換することも容易となる。これにより、道路上の橋脚本数が少なくなり、使用できる車道範囲が増えると共に、景観の美化にも貢献することができるようになる。
【発明の効果】
【００１８】
この発明に係る橋梁の架け替え工法によれば、通行止めが必要となる期間を極小にし、側道への占有面積も狭小で済ませることが可能となる。
【発明を実施するための最良の形態】
【００１９】
以下、この発明につき図面を参照しつつ詳細に説明する。なお、この実施の形態によりこの発明が限定されるものではない。また、下記実施の形態における構成要素には、当業者が容易に想定できるものが含まれるものとする。
【実施例】
【００２０】
［平面図で見る橋梁架け替え］
図１〜６は、本発明に係る橋梁の架け替え工法を示す平面図である。ここでは、側道１に片側３車線、橋梁である高架橋２に片側２車線の車道を有する場所における橋梁の架け替え例を示す。また、本例は、高架橋２の下り片側２車線分であって、四径間分の橋梁架け替えを行う場合の例である。図１は、架け替えを行う前の状態を示している。黒塗り矢印で示すように、高架橋２上では、上り、下りとも２車線ずつ車両が往来する。
【００２１】
図２は、本橋３の側部に迂回路形成のための仮橋（５ａ、５ｂ、５ｃ、５ｄの４径間および両端の６ａ、６ｂ）を設置したことを示している。なお、この図では、仮橋５ａ、５ｂ、５ｃ、５ｄと本橋３との間に隙間４が出来ているが、この隙間が特に必要でなく、仮橋５ａ、５ｂ、５ｃ、５ｄと本橋３とは隣接するように配置すればよい。なお、この状態では、黒塗り矢印で示すように、高架橋２上で、上り、下りとも２車線ずつ車両が往来し、通行止めにする必要はない。
【００２２】
図３は、本橋３に片側２車線ある本線から仮橋６ａ、５ａ、５ｂ、５ｃ、５ｄ、６ｂの１車線を経由して再び本線３に戻る迂回路７に本線を切り廻した様子を示している。迂回路７が形成され、実際に車両を迂回させるようになれば、本線下り車線には車両が入らなくなるので、その間に、四径間分の本橋３の片側２車線を解体し始める。
【００２３】
図４は、本橋の片側２車線を解体した後の空間に、仮橋５ａ、５ｂ、５ｃ、５ｄを横取りして、新たな本橋とした様子を示している。この状態では、迂回路として使用していた１車線分の幅の仮橋５ａ、５ｂ、５ｃ、５ｄが新たな本橋となる。当該仮橋が、幅方向に伸張可能、または展開可能な場合は、この時点で、伸張、または展開を行い、既設されていた旧本橋の幅と同一の幅の本橋とする。なお、迂回路が不要となった時点で、仮橋６ａ、６ｂも撤去する。
【００２４】
図５は、１車線幅だった新本橋を展開して、旧本橋と同様に２車線幅とした状態を示している。展開した後は、分割されていた仮橋主桁同士を強固に連結し、アスファルト等の表面施工をする。そして、旧本橋に対して新本橋の重量が軽くなっていたり、設計強度が増していれば、旧本橋を支持していた橋脚８を間引いて、側道使用可能領域を広げることができる。なお、上記仮橋を横取りするときと、仮橋が本橋となって、幅方向に展開するときは、車両通行が不可能になる。
【００２５】
図６は、橋梁の架け替えが完了し、架け替え前の車両通行状態（上下２車線通行可能）に戻ったことを示している。なお、上記４径間の中における中間橋脚８が撤去されている点は、架け替え前と異なる。このように、この発明に係る実施例では、橋梁の架け替え工法において、上記仮橋を横取りするときと、仮橋が本橋となって幅方向に展開するときは、車両通行が不可能になるが、他の工程では、車両通行が可能なので、通行止めが必要となる期間を極小にすることができる。
【００２６】
［桁下での地組立］
図７は、仮橋横梁を組み立てる様子を示す側面説明図である。図８は、図７を上から見たときの図を示す正面図であり、図９は、図７のＡ−Ａ断面を示す断面図である。また、図１０は、図７のＢ−Ｂ断面を示す断面図である。ここでは、これらの図を用いて、本橋桁下を地組立領域として仮橋横梁が組み立てられる様子を説明する。
【００２７】
この工程では、架け替え対象である既設の本橋１０の桁下を地組立領域として利用する。既設の本橋１０の桁下は、電気室や駐車場になっているケースが多い。この領域を利用すると、他の交通の妨げにならず、大掛かりな架け替え工事であっても、交通渋滞の発生を回避できる。
【００２８】
本橋１０の桁下では、仮橋用横梁１３、１４、１７が、トラックやトレーラ１１で搬入される。トレーラ１１等からは、桁下に収まる高さに組み立てた門型のリフター１２を利用して移動台車１５に仮橋用横梁１３、１４、１７を移す。門型のリフター１２の接地部には軌条設備を設けておき、橋軸方向に移動可能にしておくと荷取り、荷積みに有用となる。移動台車１５の上には、およそ５ｍの昇降が自由な昇降装置１６、たとえば油圧デッキリフトが載設される。さらに、その上には、仮橋用横梁１３、１４、１７を水平方向で回転させることが出来るターンテーブル１９が設けられる。なお、上記昇降装置１６の昇降可能な高さは、高架橋の高さによって適当な高さが選択される。
【００２９】
本橋１０の桁下で仮橋横梁１３、１４、１７の組立準備が整ったら、順次仮橋横梁１３、１４、１７を移動台車１５で、桁裏面に触れないように背を低くして、所望位置に移動させる。そして、側道に出たら、ターンテーブル１９を９０度回転させ、本橋１０の横梁１８を延長する方向に当該仮橋横梁１３、１４、１７を向ける。当該仮橋横梁１３、１４、１７は、昇降装置１６によって、本橋の横梁と水平になるまで高さを上げられ、当該横梁１８の端部１８ｂに連結して延設される。
【００３０】
連結は、添接板と高力ボルトで接合する。なお、当該仮橋横梁１３、１４、１７の幅方向長さは、その上に架設される主桁や床版の幅に依存するが、その主桁や床版の幅が小さければ、当該仮橋横梁１３、１４、１７の長さを短くでき、端部１８ｂを固定端とする片持ち支持とすることもできる。当該幅がある程度の長さ必要であれば、簡易的なベント２０を当該仮橋横梁の端部１８ｂとは反対側の端部に用いればよい。仮橋の主桁や床版の幅が小さくて済むケースは後述する。
【００３１】
［横梁への主桁の架設］
図１１は、仮橋主桁を架設する様子を示す側面図である。図１２は、図１１を上から見たときの図を示す平面図である。図１３〜１５は、仮橋主桁の連結方法を示す側面説明図である。ここでは、仮橋横梁が設けられた後に、当該仮橋横梁間に仮橋主桁を架設する工程を説明する。
【００３２】
図１１に示すように、仮橋主桁分割体３５も、本橋１０の桁下で地組立される。すなわち、本橋１０の桁下では、仮橋主桁分割体３５が、トラックやトレーラ１１等の輸送車両で搬入される。トレーラ１１等からは、桁下に収まる高さに組み立てた門型のリフター１２を利用して、移動台車１５に仮橋主桁分割体３５を移す。門型のリフター１２の接地部には軌条設備３６を設けておき、橋軸方向に移動可能にしておくと荷取り、荷積みに便利となる。移動台車１５の上には、およそ５ｍの昇降が自由な昇降装置１６、たとえば油圧デッキリフトが載設される。なお、当該昇降装置１６の昇降可能な高さは、高架橋の高さによって適当な高さが選択される。
【００３３】
本橋１０の桁下で仮橋主桁分割体３５の組立準備が整ったら、順次仮橋主桁分割体３５を移動台車１５で、桁裏面に触れないように背を低くして、所望位置に移動させる。そして、側道に出たら、主桁分割体の形状により、独特の方式で横梁に架設される。その方式は、図１３に示すように、まず架設の第一段階として、仮橋主桁分割体３５−１を、昇降装置１６で架設高さよりも高く上昇させる。そして、最終的な架設位置よりも、橋軸方向外側（既設主桁３５−０があれば、その桁上に重なる方向）に寄せておく。次に、第二段階として、図１４に示すように、移動台車１５で、別の仮橋主桁分割体３５−２を架設位置に移動させ、昇降装置１６で架設高さにする。
【００３４】
そして、さきほどの仮橋主桁分割体３５−１を、同分割体３５−２と連結できる位置に移動台車１５で移動し、最終的に両分割体３５−１、３５−２を強固に連結固定する。なお、図１６に示すように、ここで用いる仮橋主桁分割体３５は、主桁であると同時に、床版でもある、いわゆる主桁・床版一体型のものである。また、種類としては、鋼床版を採用し、橋軸に直角となる方向に、中央部３５ｃと、張り出し部３５ａ、３５ｂとが分割され、両部が１８０度転回可能に連結される構造とした。
【００３５】
図３で説明したように仮橋主桁を迂回路として用いるときには、当該張り出し部３５ａ、３５ｂを展開し、図１６に示すように、鉛直上方に角度固定する。仮橋主桁の張り出し部３５ａ、３５ｂが鉛直上方に角度固定されると、将来本橋として展開するときよりも幅を狭くすることができる。仮橋主桁の幅が小さければ、本橋の横梁に連結されたときに、仮橋主桁をより本橋に近づけて設置することができる。このため、本橋横梁端面を固定端とする片持ちで仮橋横梁を支持ですることもでき、仮橋の橋脚を設けるにしてもベント等の簡素な構造で済む。これにより、従来、大径の支柱が基礎から必要だった場合に比べて、側道の占有面積を節約でき、交通規制も最低限に抑えることができるようになる。なお、鉛直上方に固定された張り出し部は、中央部の壁高欄としても機能するので、高架橋の場合、都合がよい。
【００３６】
また、仮橋主桁と床版とが一体に形成されていると、取り扱いが容易となり、従来に比べて組み立て工期、仮橋横梁間に対する架設工期、横取り工期が短縮される。工期が短縮されれば、交通規制も最低限に抑えることができるようになる。
【００３７】
［本橋の解体］
図３に示したように、上記仮橋主桁は、本橋の本線の迂回路として用いられる。そのときは、本橋の本線には車両の往来がなくなる。そこで、迂回路を使用している間に、本橋の本線主桁を解体する。図１８は、本橋を解体する様子を示す側面図である。図１９は、図１８を上からみたときの図を示す平面図である。図２０〜２２は、具体的な本橋主桁解体手法を示す側面説明図である。
【００３８】
図１８〜図２１まで、解体対象となるのは、本橋の本線主桁４０−１である。図１８と図１９に示すように、解体対象の本線主桁４０−１の下に、移動台車１５と、その上に載設される昇降装置１６とを移動させる。そして、昇降装置１６を上方に伸張させて、本線主桁４０−１の裏面を支持する（図２０参照）。その後、本線主桁を橋脚４１の内側で切断し、昇降装置１６を下方に短縮させ（図２１、２３参照）、本橋の桁下へ移動台車１５で運ぶ。門型のリフター１２のところまで移動台車１５で運びこまれた本線主桁４０−１は（図２４参照）、油圧ブレーカ等の破砕手段によって、細かく破砕され、トラックまたはトレーラで搬出される。切断した後に残存する沓座付近の本線主桁４０−４、４０−５は、クレーンで取り除き、上記トラックまたはトレーラで搬出される（図２２参照）。
【００３９】
本橋の解体は、上記のように行われ、橋梁の桁下を有効に利用するものである。解体中の交通は、高架橋下り迂回路に確保され、大規模な解体ではあるが、交通制限を最小限に抑えた工法と言える。
【００４０】
［仮橋の横取り］
本線の主桁が解体された後の位置には、迂回路として利用していた仮橋が横取りされ、新たな本線となる。以下、具体的に説明する。図２５は、仮橋を横取りするときの仮橋側面を示す側面図である。図２６は、図２５を上から見たときの図を示す平面図である。図２７は、仮橋を横取りするときの断面を示す断面図である。図２８は、仮橋主桁を展開するときの断面を示す断面図である。
【００４１】
既述したが、仮橋主桁３５は、仮橋横梁１７の上に架設されている。そして、当該仮橋横梁１７は、本橋横梁１８と同じ高さに連結されている。本橋主桁は、桁下に降ろされ解体されているので、元あった場所は本橋横梁１８があるのみである。この実施例では、仮橋主桁３５を本橋主桁が元あった位置に横取りする。横取りには、横梁上に敷設される軌条設備とホイールの組み合わせ、またはころ５１等の転動体を用い、油圧ジャッキによる押し込み、引っ張りで移動させることができる。これにより、仮橋は、新たな本橋となる。
【００４２】
また、この実施例では、床版と一体になった仮橋主桁３５が、橋軸に直角となる方向に、中央部３５ｃと、張り出し部３５ａ、３５ｂとが分割される構造であり、仮橋主桁３５を迂回路として用いるときには、当該張り出し部３５ａ、３５ｂを展開し、図２７に示すように、壁高欄とするために鉛直上方に角度固定する。当該仮橋主桁３５を本橋に横取りした後は、当該張り出し部３５ａ、３５ｂを展開して、２車線分の幅にする。図２８に示すように、当該展開には、仮橋主桁３５（新本橋主桁）の上に載設されたクレーン等の吊り上げ手段５２を用いる。
【００４３】
上記のように新本橋主桁を架設すると、それまで壁高欄をかねて迂回路として利用していた仮橋主桁が、その日のうちに新本橋主桁となり、しかも、容易に車線数を１車線から２車線に変化させることができ、架け替え工法としては工期短縮に絶大な効果を奏する。工期が短くなれば、その分交通規制期間も短くなり、交通渋滞という社会的、経済的な損失を減少させることができる。
【００４４】
［橋脚の間引き・交換］
極力車両の通行を止めずに老朽化した主桁（および床版、以下同じ）を解体し、新たな主桁に架け替えるときには、ＲＣ床版またはＰＣ床版を鋼床版にして軽量化を図ったり、主桁分割体同士の連結を工夫して曲げ剛性を向上させることも可能となる。このようにすると、老朽化した旧橋脚を間引いたり、新たな橋脚に交換することもできる。ここでは、当該橋脚の交換方法を説明する。
【００４５】
図２９は、新旧橋脚の交換工程を示す説明図である。図３０は、橋脚交換後の橋梁を示す説明図である。図３１は、旧橋脚の接合痕の処理を示す説明図である。また、図３２は、図２９の添接板を取り除いた橋梁支持部分を示す説明図、図３３は、図２９の橋脚接合部付近を示す拡大図、図３４は、図３１の拡大図である。図３５は、橋脚を架け替えたときの外観を示す外観図である。
【００４６】
既述したように、仮橋主桁は、横取り、展開されることによって本橋主桁３５となる。これらは、もともと仮橋主桁分割体を繋いだものであるから、添接板５５で強固に連結しておく必要がある。これによって曲げ剛性が向上する。なお、添接板５５は、スチールを両主桁にあてて、双方の側にボルトで固定するものである（図３３参照）。
【００４７】
また、旧橋梁が支持していた部分にも添接板５８を設けると、より曲げ剛性が向上し、通常約３０ｍずつ離れて設けられていた橋脚が６０ｍずつで済むようになった。上記のようにすると、主桁の剛性が向上するので、旧橋脚５７を間引くことも可能となる。また、新しい橋脚５６を桁下から当接させて、旧橋脚５７を取り除くことも可能となる（図３０参照）。なお、橋脚５６を付設するのは、桁下からであり、主桁または床版上の通過車両を通行止めする必要はない。
【００４８】
図３５は、景観に配慮した場合の橋脚６５である。同図に示すような所謂１本脚の橋脚だと、高架橋下の空間を大きく車道、歩道に利用することができ、架け替える橋梁、橋脚の色も合わせることにより、景観の美化に貢献できる橋梁とすることもできる。
【産業上の利用可能性】
【００４９】
以上のように、本発明にかかる橋梁の掛け替え工法は、老朽化した高架橋を掛け替える際の交通渋滞抑制に有用であり、特に、側道上の高架橋の掛け替え工法に適している。
【図面の簡単な説明】
【００５０】
【図１】本発明に係る橋梁の架け替え工法を示す平面図である。
【図２】本発明に係る橋梁の架け替え工法を示す平面図である。
【図３】本発明に係る橋梁の架け替え工法を示す平面図である。
【図４】本発明に係る橋梁の架け替え工法を示す平面図である。
【図５】本発明に係る橋梁の架け替え工法を示す平面図である。
【図６】本発明に係る橋梁の架け替え工法を示す平面図である。
【図７】仮橋横梁を組み立てる様子を示す側面説明図である。
【図８】図７を上から見たときの図を示す正面図である。
【図９】図７のＡ−Ａ断面を示す断面図である。
【図１０】図７のＢ−Ｂ断面を示す断面図である。
【図１１】仮橋主桁を架設する様子を示す側面図である。
【図１２】図１１を上から見たときの図を示す平面図である。
【図１３】仮橋主桁の連結方法を示す側面説明図である。
【図１４】仮橋主桁の連結方法を示す側面説明図である。
【図１５】仮橋主桁の連結方法を示す側面説明図である。
【図１６】図１１のＥ−Ｅ断面を示す断面図である。
【図１７】図１１のＦ−Ｆ断面を示す断面図である。
【図１８】本橋を解体する様子を示す側面図である。
【図１９】図１８を上からみたときの図を示す平面図である。
【図２０】具体的な本橋主桁解体手法を示す側面説明図である。
【図２１】具体的な本橋主桁解体手法を示す側面説明図である。
【図２２】具体的な本橋主桁解体手法を示す側面説明図である。
【図２３】図１８のＧ−Ｇ断面を示す断面図である。
【図２４】図１８のＨ−Ｈ断面を示す断面図である。
【図２５】仮橋を横取りするときの仮橋側面を示す側面図である。
【図２６】図２５を上から見たときの図を示す平面図である。
【図２７】仮橋を横取りするときの断面を示す断面図である。
【図２８】仮橋主桁を展開するときの断面を示す断面図である。
【図２９】新旧橋脚の交換工程を示す説明図である。
【図３０】橋脚交換後の橋梁を示す説明図である。
【図３１】旧橋脚の接合痕の処理を示す説明図である。
【図３２】図２９の添接板を取り除いた橋梁支持部分を示す説明図である。
【図３３】図２９の橋脚接合部付近を示す拡大図である。
【図３４】図３１の添接板を示す拡大図である。
【図３５】景観に配慮した橋脚の例を示す説明図である。
【符号の説明】
【００５１】
１  側道
２  高架橋
３  本橋
４  隙間
５、６  仮橋
７  迂回路
８、４１、５６、６５  橋脚
１０  本橋
１１  トレーラ
１２  門型リフター
１３、１７  仮橋横梁
１５  移動台車
１６  昇降装置
１８  横梁
１９  ターンテーブル
２０  ベント
３５  仮橋主桁分割体
３６  軌条設備
４０  本線主桁
５２  吊り上げ手段
５５、５８  添接板
５７  旧橋脚
【図１】
0004671912.tif 000002
【図２】
0004671912.tif 000003
【図３】
0004671912.tif 000004
【図４】
0004671912.tif 000005
【図５】
0004671912.tif 000006
【図６】
0004671912.tif 000007
【図７】
0004671912.tif 000008
【図８】
0004671912.tif 000009
【図９】
0004671912.tif 000010
【図１０】
0004671912.tif 000011
【図１１】
0004671912.tif 000012
【図１２】
0004671912.tif 000013
【図１３】
0004671912.tif 000014
【図１４】
0004671912.tif 000015
【図１５】
0004671912.tif 000016
【図１６】
0004671912.tif 000017
【図１７】
0004671912.tif 000018
【図１８】
0004671912.tif 000019
【図１９】
0004671912.tif 000020
【図２０】
0004671912.tif 000021
【図２１】
0004671912.tif 000022
【図２２】
0004671912.tif 000023
【図２３】
0004671912.tif 000024
【図２４】
0004671912.tif 000025
【図２５】
0004671912.tif 000026
【図２６】
0004671912.tif 000027
【図２７】
0004671912.tif 000028
【図２８】
0004671912.tif 000029
【図２９】
0004671912.tif 000030
【図３０】
0004671912.tif 000031
【図３１】
0004671912.tif 000032
【図３２】
0004671912.tif 000033
【図３３】
0004671912.tif 000034
【図３４】
0004671912.tif 000035
【図３５】
0004671912.tif 000036